(57)【要約】      （修正有）【課題】冷却効果が高く、耐久性に優れ、清潔な保冷マットを提供する。【解決手段】保冷マット１は、合成樹脂材により袋状に形成した保冷具１１の外装体１２で包覆してシート状に形成した保冷マット１のいずれかの一面にアルミ薄板材２３を具備してなる。さらに保冷マット１は、高周波加熱により溶着可能な例えばポリ塩化ビニル（ＰＶＣ）等の非吸水性素材からなるポリ塩化ビニル材により形成した全体として袋状形態とする。また、全体形状が平面視四角形状で袋状に形成した保冷具外装体１２を用い、複数のジェルを含む保冷媒体１４を内部に収納した偏平な形態の保冷具１１と、複数の保冷具１１を間隔を隔て溶着保持する薄板状の一面外装体２１と、前記各保冷具１１の他面に重合配置した弾性、通気性を有する多穴弾性体３１と、前記一面外装体２１の外周縁部、多穴弾性体３１の外周縁部を覆うように縫着した例えば綿材からなる周辺逢着材４１と、を有している。【選択図】図３
0003177065.tif 000002
【実用新案登録請求の範囲】
【請求項１】
合成樹脂材により袋状に形成した保冷具外装体で包覆してシート状に形成した保冷マットのいずれかの一面にアルミ薄板材を具備したことを特徴とする保冷マット。
【請求項２】
合成樹脂材により袋状に形成した保冷具外装体を用い、保冷媒体を内部に収納した複数の保冷具と、
前記保冷具外装体の一面に添着した合成樹脂製の基材及びこの基材の外面に添着した金属薄板材であるアルミ材の積層構造で、前記基材の保冷具側の面に複数の保冷具の一面側をこれら保冷具を各々間隔を隔てつつ溶着する複数の保冷具溶着部を具備し、各保冷具溶着部間は間隔保持部により連結し、前記金属薄板材の外面を透明保護材で保護し、外周部を保冷具の外周より外側に延在した一面外装体と、
前記保冷具の他面に重合配置されるとともに、網目状表地及び網目状裏地を対向配置とし、前記網目状表地、網目状裏地間を、各々間隔を隔て連結する弾性連結糸材群を具備し、前記網目状表地、網目状裏地間に弾性、通気性を持たせた多穴弾性体と、
前記一面外装体の外周縁部及び多穴弾性体の外周縁部を覆うように縫着した周辺逢着材と、
を有することを特徴とする保冷マット。
【請求項３】
ポリ塩化ビニル材により袋状に形成した保冷具外装体を用い、保冷媒体を内部に収納した偏平な形態の複数の保冷具と、
前記保冷具外装体の一面に添着した合成樹脂製の基材及びこの基材の外面に添着したアルミ薄板材の積層構造で、前記基材の保冷具側の面に複数の保冷具の一面側をこれら保冷具を各々間隔を隔てつつ溶着する複数の保冷具溶着部を具備し、各保冷具溶着部間は間隔保持部により連結し、アルミ薄板材の外面を透明ポリエステル材で保護し、外周部を保冷具の外周より外側に延在した一面外装体と、
前記保冷具の他面に重合配置されるとともに、網目状表地及び網目状裏地を対向配置とし、前記網目状表地、網目状裏地間を、各々間隔を隔て連結する弾性連結糸材群を具備し、前記網目状表地、網目状裏地間に弾性、通気性を持たせた多穴弾性体と、
前記一面外装体の外周縁部及び多穴弾性体の外周縁部を覆うように縫着した周辺逢着材と、
を有することを特徴とする保冷マット。
【請求項４】
矩形シート状で、かつ、袋状に形成したポリ塩化ビニル材からなる保冷具外装体を用い、複数の矩形シート状でジェル、ポリアクリル酸ナトリウム、硫酸アンモニウム、硫酸ナトリウム、グリセリン、水、防カビ剤等を含む保冷媒体を内部に収納した偏平な形態の複数の保冷具と、
前記保冷具外装体の一面に添着した合成樹脂製の基材及びこの基材の外面に添着したアルミ薄板材の積層構造で、前記基材の保冷具側の面に複数の保冷具の一面側をこれら保冷具を各々間隔を隔てつつ溶着する複数の保冷具溶着部を具備し、各保冷具溶着部間は間隔保持部により連結し、アルミ薄板材の外面を透明ポリエステル材で保護し、かつ、前記アルミ薄板材の外面の前記複数の保冷媒体に対応する位置に幾何学模様を表出させ、外周部を保冷具の外周より外側に延在した前記保冷具に対応するサイズの一面外装体と、
前記保冷具の他面に重合配置されるとともに、多数の穴が連続して連なる形態の矩形シート状の網目状表地及び網目状裏地を対向配置とし、前記網目状表地、網目状裏地の対向する網材間を各々間隔を隔てストレート、クロス又はストレート・クロス混合から選ばれる形態で連結する弾性連結糸材群を具備し、前記網目状表地、網目状裏地間に弾性、通気性を持たせた偏平な形態で前記保冷具に対応するサイズの多穴弾性体と、
前記一面外装体の外周縁部及び多穴弾性体の外周縁部を覆うように縫着した周辺逢着材と、
を有することを特徴とする保冷マット。
【請求項５】
矩形シート状で、かつ、袋状に形成したポリ塩化ビニル材からなる保冷具外装体を用い、複数の矩形シート状でジェル、ポリアクリル酸ナトリウム、硫酸アンモニウム、硫酸ナトリウム、グリセリン、水、防カビ剤等を含む保冷媒体を内部に収納した偏平な形態の複数の保冷具と、
前記保冷具外装体の一面に添着した合成樹脂製の基材及びこの基材の外面に添着したアルミ薄板材の積層構造で、前記基材の保冷具側の面に複数の保冷具の一面側をこれら保冷具を各々間隔を隔てつつ溶着する複数の保冷具溶着部を具備し、各保冷具溶着部間は間隔保持部により連結し、アルミ薄板材の外面を透明ポリエステル材で保護し、かつ、前記アルミ薄板材の外面の前記複数の保冷媒体に対応する位置に幾何学模様を表出させ、外周部を保冷具の外周より外側に延在した前記保冷具に対応するサイズの一面外装体と、
前記保冷具の他面に重合配置されるとともに、多数の穴が連続して連なる形態の矩形シート状の網目状表地及び網目状裏地を対向配置とし、前記網目状表地、網目状裏地の対向する網材間を各々間隔を隔てストレート、クロス又はストレート・クロス混合から選ばれる形態で連結する弾性連結糸材群を具備し、前記網目状表地、網目状裏地間に弾性、通気性を持たせた偏平な形態で前記保冷具に対応するサイズの多穴弾性体と、
前記一面外装体の四辺外周縁部、多穴弾性体の外周縁部を覆うように縫着した周辺逢着材と、
を有し、敷布団用サイズ、シーツ用サイズ、枕用サイズ又はこれらの中間寸法のハーフサイズ、更にカーシートサイズや座布団サイズ、ワイン保冷用シートサイズ等の内から選定されるサイズとしたことを特徴とする保冷マット。
【考案の詳細な説明】
【技術分野】
【０００１】
本考案は、いずれかの一面にアルミ材を具備する保冷マットに関し、詳しくは、ジェルを含む保冷媒体の冷却効果を効果的に利用し人体各部の冷却用として好適に使用し得るとともに、耐久性優れ、清潔であり、更に、弾力性、通気性を有し使用感も良好な保冷マットに関するものである。
【背景技術】
【０００２】
従来からジェルを含む保冷媒体を敷布団サイズ、シーツサイズ、枕サイズ等の外装体内に収納して冷却用の保冷具を構成し、高温期の就寝時等において、敷布団やベッド上に載置して身体の背中等を冷却したり、枕に被せて頭部を冷却したりすることが行われている。
【０００３】
このような冷却具の場合、保冷媒体の冷却効果を効果的に利用できること、耐久性優れ、清潔であること、弾力性、通気性を有し使用感も良好であること等の諸機能を有することが要請される。
【０００４】
特許文献１には、本体部とこの本体部の一辺に結合した蓋部とを備え、防水性の本体部に保水性ポリマーを内蔵し、蓋部は防水性で本体部の上面を覆うように開閉可能に構成した冷却又は加温用構造物が提案されている。
【０００５】
しかし、特許文献１の冷却又は加温用構造物の場合、基本的には、実際の使用時に保水性ポリマーの機能を発揮させるために水を供給する必要があり使用時に煩雑感を伴うこと、本体部の底面部は弾力性を有さず、使用感が必ずしも良好ではないこと等が推定される。
【０００６】
このように、ジェルを含む保冷媒体を内蔵し、その一面側に金属薄板材であるアルミ材を用いた一面外装体を備え、他面側に適度な弾性及び通気性を確保でき、使用感が良好な多穴弾性体を配置して、保冷媒体の冷却効果を効果的に利用でき、耐久性優れ、清潔であり、更に、弾力性、通気性を有し使用感も良好であるような保冷マットは従来存在しないのが現状である。
【先行技術文献】
【特許文献】
【０００７】
【特許文献１】特開２０１０−１１５４０２号公報
【考案の概要】
【考案が解決しようとする課題】
【０００８】
本考案が解決しようとする問題点は、保冷媒体を内蔵し、いずれかの一面側に金属薄板材であるアルミ材を用いた一面外装体を備え、他面側に適度な弾性及び通気性を確保でき、使用感が良好な多穴弾性体を配置して、保冷媒体の冷却効果を効果的に利用でき、耐久性優れ、清潔であり、更に、弾力性、通気性を有し使用感も良好であるような保冷マットは存在しないが存在しない点である。
【課題を解決するための手段】
【０００９】
本考案に係る保冷マットは、合成樹脂材により袋状に形成した保冷具外装体を用い、保冷媒体を内部に収納した複数の保冷具と、前記保冷具外装体の一面に添着した合成樹脂製の基材及びこの基材の外面に添着した金属薄板材であるアルミ材の積層構造で、前記基材の保冷具側の面に複数の保冷具の一面側をこれら保冷具を各々間隔を隔てつつ溶着する複数の保冷具溶着部を具備し、各保冷具溶着部間は間隔保持部により連結し、前記金属薄板材の外面を透明保護材で保護し、外周部を保冷具の外周より外側に延在した一面外装体と、前記保冷具の他面に重合配置されるとともに、網目状表地及び網目状裏地を対向配置とし、前記網目状表地、網目状裏地間を、各々間隔を隔て連結する弾性連結糸材群を具備し、前記網目状表地、網目状裏地間に弾性、通気性を持たせた多穴弾性体と、前記一面外装体の外周縁部、多穴弾性体の外周縁部を覆うように縫着した周辺逢着材と、を有することを最も主要な特徴とする。
【考案の効果】
【００１０】
請求項１記載の考案によれば、合成樹脂材により袋状に形成した保冷具外装体で包覆してシート状に形成した保冷マットのいずれかの一面にアルミ薄板材を具備した構成としているので、保冷媒体の冷却効果を効果的に利用でき、耐久性優れ、清潔であり、更に、弾力性、通気性を有し使用感も良好な保冷マットを実現し提供することができる。
【００１１】
請求項２記載の考案によれば、保冷媒体を収納した複数の保冷具を、その一面側に金属薄板材であるアルミ材を用いた一面外装体により間隔を隔て溶着保持し、他面側に適度な弾性及び通気性を確保できる多穴弾性体を配置した構成としているので、保冷媒体の冷却効果を効果的に利用でき、耐久性優れ、清潔であり、更に、弾力性、通気性を有し使用感も良好な保冷マットを実現し提供することができる。
【００１２】
請求項３記載の考案によれば、ポリ塩化ビニル材により形成した保冷具外装体内に保冷媒体を収納し、一面側にアルミ薄板材を用いた一面外装体により複数の保冷具を間隔を隔て溶着保持し、アルミ薄板材の外面を透明ポリエステル材で保護し、外周部を保冷具の外周より外側に延在した構成とするとともに、他面側に網目状表地及び網目状裏地を対向配置とし、前記網目状表地、網目状裏地間を、各々間隔を隔て連結する弾性連結糸材群を具備し、前記網目状表地、網目状裏地間に弾性、通気性を持たせる適度な弾性及び通気性を確保できる多穴弾性体を配置した構成としているので、保冷媒体の冷却効果を効果的に利用でき、耐久性優れ、清潔であり、更に、弾力性、通気性を有し使用感も良好な保冷マットを実現し提供することができる。
【００１３】
請求項４記載の考案によれば、矩形シート状のポリ塩化ビニル材により形成した保冷具外装体内にジェル、ポリアクリル酸ナトリウム、硫酸アンモニウム、硫酸ナトリウム、グリセリン、水、防カビ剤等を含む保冷媒体を収納し、一面側にアルミ薄板材を用いた一面外装体により複数の保冷具を間隔を隔て溶着保持し、アルミ薄板材の外面を透明ポリエステル材で保護し、かつ、前記アルミ薄板材の外面の前記複数の保冷媒体に対応する位置に幾何学模様を表出させ、外周部を保冷具の外周より外側に延在した構成とするとともに、
他面側に多数の穴が連続して連なる形態の矩形シート状の網目状表地及び網目状裏地を対向配置とし、前記網目状表地、網目状裏地の対向する網材間を各々間隔を隔てストレート、クロス又はストレート・クロス混合から選ばれる形態で連結する弾性連結糸材群を具備し、前記網目状表地、網目状裏地間に弾性、通気性を持たせた偏平な形態で前記保冷具に対応するサイズの多穴弾性体を配置した構成としているので、保冷媒体の冷却効果を効果的に利用でき、耐久性優れ、清潔であり、更に、弾力性、通気性を有し使用感も良好であるとともに、一面外装体の幾何学模様が外部に表出することから外観体裁も良好な保冷マットを実現し提供することができる。
【００１４】
請求項５記載の考案によれば、請求項４記載の考案と同様な効果を奏し、かつ、敷布団用サイズ、シーツ用サイズ、枕用サイズ又はこれらの中間寸法のハーフサイズ、更にカーシートサイズや座布団サイズ、ワイン保冷用シートサイズ等の内から選定されるサイズとしているので、敷布団やシーツ用、枕用、敷布団やシーツと枕との間のハーフサイズタイプ、カーシートサイズ用、座布団用、ワイン保冷用等、多様な用途に適用して好適な保冷マットを実現し提供することができる。
【図面の簡単な説明】
【００１５】
【図１】図１は本考案の実施例１に係る保冷マットの一面側の概略平面図である。
【図２】図２は本実施例１に係る保冷マットの他面側の概略平面図である。
【図３】図３は図１のＡ−Ａ線断面図である。
【図４】図４は本実施例１における保冷マットにおける一面側のアルミ薄板材の幾何学模様領域の具体例を示す図である。
【図５】図５は本実施例１に係る保冷マットを構成する多穴弾性体の部分拡大概略断面図である。
【図６】図６は本実施例１に係る保冷マットの一面側を上にした状態の使用態様を示す平面図である。
【図７】図７は本実施例１に係る保冷マットの一面側を上にした状態の使用態様を示す平面図である。
【図８】図８は本実施例１に係る保冷マットの冷却作用の説明図である。
【図９】図９は本実施例１の保冷媒体の一例として用いる水ジェルの概略斜視図である。
【図１０】図１０は図９に示す水ジェルの製造工程を示すフローチャートである。
【図１１】図１１は本実施例１の保冷マットに用いる保冷媒体外装体及び保冷媒体の他例であるジェルを示す概略断面図である。
【図１２】図１２は図１１に示す保冷媒体外装体及びジェルの製造工程を示すフローチャートである。
【図１３】図１３は本実施例１の保冷マットに用いる保冷具の他例を示す平面図である。
【図１４】図１４は図１３のＢ−Ｂ線断面図である。
【図１５】図１５は本考案の実施例２に係る保冷マットの一面側の概略平面図である。
【図１６】図１６は本実施例２に係る保冷マットの他面側の概略平面図である。
【図１７】図１７は本実施例２に係る保冷マットの一面側を上にした状態の使用態様を示す概略平面図である。
【図１８】図１８は本実施例２に係る保冷マットの他面側を上にした状態の使用態様を示す概略平面図である。
【図１９】図１９は本考案の実施例３に係る保冷マットの一面側の概略平面図である。
【図２０】図２０は本考案の実施例３に係る保冷マットの他面側の概略平面図である。
【図２１】図２１は本実施例３に係る保冷マットの一面側を上にした状態の使用態様を示す概略平面図である。
【図２２】図２２は本実施例３に係る保冷マットの他面側を上にした状態の使用態様を示す概略平面図である。
【考案を実施するための形態】
【００１６】
本考案は、保冷媒体を内蔵し、その一面側に金属薄板材であるアルミ薄板材を用いた一面外装体を備え、他面側に適度な弾性及び通気性を確保でき、使用感が良好な多穴弾性体を配置して、保冷媒体の冷却効果を効果的に利用でき、耐久性優れ、清潔であり、更に、弾力性、通気性を有し使用感も良好である保冷マットを提供するという目的を、ポリ塩化ビニル材により袋状に形成した保冷具外装体を用い、保冷媒体を内部に収納した偏平な形態の収納した複数の保冷具と、前記保冷具外装体の一面に添着した合成樹脂製の基材及びこの基材の外面に添着したアルミ薄板材の積層構造で、前記基材の保冷具側の面に複数の保冷具の一面側をこれら保冷具を各々間隔を隔てつつ溶着する複数の保冷具溶着部を具備し、各保冷具溶着部間は間隔保持部により連結し、アルミ薄板材の外面を透明ポリエステル材で保護し、外周部を保冷具の外周より外側に延在した一面外装体と、前記保冷具の他面に重合配置されるとともに、網目状表地及び網目状裏地を対向配置とし、前記網目状表地、網目状裏地間を、各々間隔を隔て連結する弾性連結糸材群を具備し、前記網目状表地、網目状裏地間に弾性、通気性を持たせた多穴弾性体と、前記一面外装体の外周縁部、多穴弾性体の外周縁部を覆うように縫着した周辺逢着材と、を有する構成により実現した。
【実施例】
【００１７】
以下、本考案の実施例に係る保冷マットについて図面を参照して詳細に説明する。
（実施例１）
図１乃至図８を参照して本実施例１に係る保冷マット１について説明する。
【００１８】
本実施例１に係る保冷マット１の基本的な特徴は、合成樹脂材により袋状に形成した保冷具１１の外装体１２で包覆してシート状に形成した保冷マット１のいずれかの一面にアルミ薄板材２３を具備してなることを特徴とするものである。
詳述すると、本実施例１に係る保冷マット１は、例えば、敷布団又はベッドのマットレス等の上に敷いて使用したり、或いは座布団サイズ、枕カバーサイズに形成して、夫々使用するようにしたものであり、図１乃至図３に示すように、高周波加熱により溶着可能な例えばポリ塩化ビニル（ＰＶＣ）等の非吸水性素材からなるポリ塩化ビニル材により形成した全体として袋状形態で、かつ、全体形状が平面視四角形状で袋状に形成した保冷具外装体１２を用い、複数のジェルを含む保冷媒体１４を内部に収納した偏平な形態の保冷具１１と、複数の保冷具１１を間隔を隔て溶着保持する薄板状の一面外装体２１と、前記各保冷具１１の他面に重合配置した弾性、通気性を有する多穴弾性体３１と、前記一面外装体２１の外周縁部、多穴弾性体３１の外周縁部を覆うように縫着した例えば綿材からなる周辺逢着材４１と、を有している。
【００１９】
なお、図１中における符号４１ａは縫目を示すものである。
【００２０】
本実施例１に係る保冷マット１は、上述したような敷布団又はマットレス等の上に敷いて使用する他、敷布団等々に使用する以外、これ自体を、単体で自在に使用できることは勿論である。
【００２１】
前記保冷具１１における保冷具外装体１２の形状、サイズは、本実施例１では矩形シート状で例えば敷布団サイズ又はシーツ用サイズ（例えば幅９０ｃｍ、長さ１４０ｃｍ）に設定している。
【００２２】
また、前記一面外装体２１、多穴弾性体３１の形状、サイズも保冷具外装体１２に対応した形状、サイズとしている。
【００２３】
この他、詳細は後述する枕用サイズ又は中間寸法のハーフサイズ、更には図示しないがカーシートサイズや座布団サイズ、枕カバーサイズ、ワイン保冷用シートサイズ等の内から選定することも可能である。
【００２４】
前記複数の保冷具１１の各一面側と、一面外装体２１とは保冷具溶着部２１ａにより溶着結合される。
【００２５】
そして、本実施例１に係る保冷マット１においては、薄型直方体状に形成したジェルを含む保冷媒体１４を収納した保冷具１１を、図１において横方向に２個、縦方向に１２個、合計２４個間隔を隔て配列した構成となっている。
但し、本考案においては、上記縦・横の保冷具１１の各個数を図示例に限定するものではない。従って、縦・横の各保冷具１１の各個数は、実施に際し、これを自在に選定して実施できる。
【００２６】
本実施例１に係る保冷マット１においては、前記一面外装体２１の複数の保冷具溶着部２１ａは、保冷マット１の中央部において、縦方向に１本、横方向に１１個直線状に設けた間隔保持部１３を隔てて並ぶ構成としている。
【００２７】
前記ジェルを含む保冷媒体１４の組成としては、例えば、ジェル、ポリアクリル酸ナトリウム、硫酸アンモニウム、硫酸ナトリウム、グリセリン、水、防カビ剤等からなる組成を挙げることができる。
【００２８】
前記一面外装体２１は、図３に拡大して示すように、前記保冷具外装体１２の一面に添着した合成樹脂製で薄板状の基材２２及びこの基材２２の外面に添着したアルミ薄板材２３を具備し、このアルミ薄板材２３の外面をフィルム状の透明ポリエステル材２４で保護し、かつ、図４に示すように、前記アルミ薄板材２３の外面の前記複数の保冷媒体１４に対応する位置に各々幾何学模様領域２３ａ（図１においてはクロス斜線を付して示す）を表出させ、更に、一面外装体２１の四辺の外周部２３ｃを前記保冷具１１の外周より外側に延在した構成としている。
【００２９】
前記透明ポリエステル材２４を介して表出するアルミ薄板材２３の幾何学模様領域２３ａの一例を図４に拡大して示す。この幾何学模様領域２３ａは、例えば斜視図態様で直方体形状の連続列設模様に形成している。
【００３０】
なお、幾何学模様領域２３ａの形態は直方体形状に限定されるものではなく、立方体形状、菱形形状等種々の幾何学模様形態とし得ることは言うまでもない。
【００３１】
前記多穴弾性体３１は、図５に拡大して示すように、例えば、六角形状、円形状、楕円形状、四角形状、菱形状のような形状から選定される多数の穴３２が連続して連なる形態の矩形シート状の例えばポリエステル材又はナイロン材のような網目状表地３３及び網目状裏地３４を対向配置とし、前記網目状表地３３、網目状裏地３４の対向する網材３３ａ、３４ａ間を各々間隔を隔て多数の弾性連結糸材３５（弾性連結糸材群）により連結することにより、前記網目状表地３３、網目状裏地３４間に弾性（バネ性）及び通気性を持たせた構成となっている。
【００３２】
前記弾性連結糸材３５としては、例えば、ナイロン又はテフロン（登録商標）のような材質からなるモノフィラメント又はマルチフィラメントを採用している。前記多穴弾性体３１の厚さは、例えば、３〜２０ｍｍに設定する。
【００３３】
前記網材３３ａ、３４ａ間を、各々間隔を隔て連結する弾性連結糸材３５の連結態様は、例えば、ストレート、クロス、ストレート・クロス混合の各態様を挙げることができる。
【００３４】
そして、前記保冷具１１における前記一面外装体２１の四辺の外周部２３ｃと、前記多穴弾性体３１の四辺外周部とを重ね合わせ、綿材のような周辺逢着材４１を、前記四辺外周部を覆うようにして縫着することで、本実施例１の保冷マット１を構成している。
【００３５】
ここで、保冷媒体１４の一例である水ジェル５１、及び保冷マット１を構成する前記保冷具１１の他例としての別の製造工程からなる保冷具１１の具体例について図９乃至図１４を参照して詳述する。
【００３６】
図９、図１０は、保冷媒体１４の一例である水ジェル５１及びその製造方法を示すものである。
【００３７】
図９に示す水ジェル５１は、図１０に示す各製造ステップを経て製造される。
【００３８】
（第１ステップ）
水酸化ナトリウムなどの塩基を、水、溶媒の中で溶かし、攪拌して完全に溶かしアルカリ溶液とし、冷却する。
【００３９】
（第２ステップ）
アルカリ溶液の温度が２５℃前後まで下がったときに、アルカリ溶液の中にアクリル酸、アクリル酸エステル、アクリルアミドなどのモノマーを加え、溶液が清澄して透明になるまで攪拌して混ぜ合わせる。ここで得られた溶液を、以下「母液」と略称する。母液中のモノマーの含量は約１０％〜２０％である。
【００４０】
（第３ステップ）
第２ステップで得られた母液を２５℃以下に冷却する。
【００４１】
（第４ステップ）
前記母液のｐＨ値を測り、酸又は塩基を加えてｐＨ＝６．５〜７．０となるように調整する。
【００４２】
（第５ステップ）
第４ステップを経た母液の中に架橋剤であるポリビニルアルコール溶液を加え、完全に溶けるように攪拌する。ポリビニルアルコール溶液の含量は約１％〜５％とする。
【００４３】
（第６ステップ）
第５ステップの溶液の中に、例えばベンゾイン誘導体などの光プライマーと、光増感剤である例えばベンゾフェノンを加える。これらの含量は約１％〜３％とする。
【００４４】
（第７ステップ）
第６ステップを経た母液を固定した容器に流し込み、以下に述べるようなＵＶ（紫外線）光硬化プロセスで光架橋して例えば薄片状又は薄片状でマット形態の水ジェル５１を成形する。
なお、この場合、形成された薄片状又は薄片状でマット形態の水ジェル５１のサイズの大小を問わない。
【００４５】
以上の一連の工程により、光開始特性を有する例えば図９に示すような水ジェル５１の製造が完了する。
【００４６】
上述したＵＶ硬化プロセスは、以下の通りである。
【００４７】
まず、ＵＶ灯管、照射器、冷却装置、電源装置、コンベアなどを含んで構成されるＵＶ光硬化装置を使用し、上述した第７ステップで母液を流し込んだ容器を、ＵＶ光硬化装置のベルトコンベヤ上にセットする。
【００４８】
次に、ＵＶ光硬化装置が電源に接続されていることを確認し、冷却装置の冷却水弁とエア弁を開弁する。
【００４９】
次に、ベルトコンベヤの運転を開始し、かつ、放熱ファンを作動する。
【００５０】
次に、ＵＶ光硬化装置の電源を入れ、ＵＶ灯管を点灯し（約３０分間）、容器内の母液を加熱し、ＵＶ光架橋を行い、例えば薄片状又は薄片状でマット形態の水ジェル５１を成形する。
【００５１】
この場合、運転開始点検項目として、冷却水弁が必ず開いていること、ベルトコンベヤに異常がないこと、電圧計、電流計の表示値が必ず正常範囲内にあること等に留意する必要がある。
【００５２】
上述したＵＶ光硬化装置を使用して水ジェル５１を量産する場合には、以下のような量産工程を実施する。
【００５３】
（ａ）光エネルギーチェック
光エネルギー計のプローブをＵＶ灯管の真下に差し込み、３０秒保って、光エネルギー計の指示値を観察し、記録する。この場合、９箇所を連続測定し、エネルギー量の均一性を記録する。
【００５４】
また、ＵＶ灯管による平均熱量が８００〜１０００（ｍＪ・ミリジュール）であることが必要で、これに達しない場合は量産に不向きである。
【００５５】
（ｂ）ライン速度の調整
ベルトコンベヤのライン速度を０．５〜２ｍ／ｍｉｎに調整する。
【００５６】
（ｃ）運転停止手順としては、ベルトコンベヤ上の製品が全部送り出されていること、ＵＶ灯管とベルトコンベヤの電源を切ること、量産終了後３０分後にファンの電源を切ることなどに留意する。
【００５７】
（ｄ）その他の留意事項
最大開始効率を保証するためにＵＶ灯管のＵＶ光の波長は３２０ｎｍ〜４００ｎｍの間とすること、ベルトコンベヤの中で製品が平らに置かれた状態を保つようにしなければならないこと、ＵＶ灯管の消灯後はすぐに再点灯してはならず、少なくとも３０分間待たなければならないこと、ＵＶ灯管を消灯後すぐにファンや冷却水弁を閉じてはならないこと、ＵＶ灯管の使用寿命は約８００〜１０００時間であり、適時に交換しなければならないことなどに留意する。
【００５８】
上述したように、前記水ジェル５１は、アルカリ溶液にモノマーを加えて母液とし、この母液のｐＨを６．５〜７．０となるように調整し、更に、母液に架橋剤、光プライマー、増感剤を加えた後容器に入れ、ＵＶ光硬化装置を用いて母液に対するＵＶ光架橋を行うことで製造するものである。
【００５９】
このようにして、従来の技術で合成された水ジェルの有するいやな臭い、変色、水化などの欠陥を改善した例えば薄片状又は薄片状でマット形態の水ジェル５１を得ることができる。
【００６０】
すなわち、ＵＶ光硬化プロセスは、基本的に無溶剤での処理のため、地球環境にやさしく臭気のない例えば薄片状の水ジェル５１を得ることができる。
【００６１】
また、上述した製造方法により、ＵＶ光硬化プロセスにより瞬時硬化で水ジェル５１を成形するため、吸熱作用を発揮し、長期的に高い弾性を維持でき、折れ目がつかないなどの優れた物理的性能をもち、前記保冷媒体１４として用いて好適な水ジェル５１を実現し、提供することができる。
【００６２】
前記第１ステップ〜第６ステップまでの一連の工程、及びＵＶ光硬化装置を使用する斬新なＵＶ光硬化プロセスでの光架橋ステップにより、上述したような優れた物理的性能をもった水ジェル５１を製造することが可能であり、更に、ＵＶ光硬化プロセスは、瞬時硬化のため生産速度の向上を図ることも可能な水ジェル５１の製造方法を実現し提供することができる。
【００６３】
更に、上述したような量産手順における光エネルギーチェックや、ベルトコンベヤのライン速度の設定について配慮することにより、上述した作用、効果を発揮する例えば薄片状又は薄片状でマット形態の水ジェル５１を効率よく量産することができる製造方法を実現し提供することができる。
【００６４】
そして、前記水ジェル５１を図示しないが２枚重合袋構造の保冷具外装体に内装し、この保冷具外装体を成形加工することにより、本実施例１に係る別の製造工程からなる保冷具１１とするものである。
【００６５】
次に、前記保冷媒体１４として用いて好適な別の例であるジェル６１、及びこのジェル６１を内装した別の製造工程からなる保冷具１１の製造方法について、図１１、図１２を参照して説明する。
【００６６】
前記ジェル６１及び保冷具１１は、図１２に示す各製造ステップを経て製造される。
【００６７】
（第１ステップ）
水酸化ナトリウムを水、溶媒の中で溶かし、攪拌して完全に溶かし、冷却する。水の用量は反応体系全体の総質量の１０％〜３０％とし、水酸化ナトリウムの用量は反応体系全体の総質量の５％〜２０％とする。
【００６８】
（第２ステップ）
水酸化ナトリウム溶液の温度が２５℃前後まで下がったときに、アルカリ溶液の中に保水因子であるグリセリン、エチルセルロース、ポリアクリルアミドを加え、溶液が清澄して透明になるまで攪拌して混ぜ合わせる。
【００６９】
グリセリンの用量は反応体系全体の総質量の１０％〜３０％とし、エチルセルロースの用量は反応体系全体の総質量の１０％〜１５％とし、ポリアクリルアミドの用量は反応体系全体の総質量の５％〜８％とする。
【００７０】
（第３ステップ）
第２ステップで得られた溶液の中にモノマーであるアクリル酸を加え、攪拌して均一にし、溶液を２５℃以下に冷却する。ここで得られた液体を以下「母液」と略称する。
【００７１】
（第４ステップ）
母液のｐＨ値を測り、酸または塩基を加えてｐＨ＝６．５〜６．７となるように調節する。
【００７２】
（第５ステップ）
第４ステップを経た母液の中に架橋剤である過酸化ベンゾイル、Ｎ，Ｎ−メチレンビスアクリルアミド、アゾビスイソブチルニトリルを加え、完全に溶けるように攪拌する。用量はいずれも反応体系全体の総質量の０．１％〜０．３％とする。
【００７３】
（第６ステップ）
第５ステップで得られた溶液の中にプライマーである過硫酸カリウム、開始剤である過酸化水素水を加える。過硫酸カリウムの用量は反応体系全体の総質量の０．０１％〜０．１％とし、過酸化水素水の用量は反応体系全体の総質量の０．０１％〜０．１％とする。
【００７４】
（第７ステップ）
Ａ  材料の準備：保冷マット１の形状に対応した保冷具１１の外形寸法、及び材料要件に基づいて保冷具外装体１２Ａを所定の寸法に裁断する。
【００７５】
保冷具外装体１２Ａとしては、織布（又はフロック生地）６２とプラスチック層６３との重合構造でプラスチック層６３を内層とするもの２枚を使用する。
【００７６】
Ｂ  製袋：そして、２枚の保冷具外装体１２Ａをプラスチック層６３を内層として重ね合わせて、対向するプラスチック層６３の周辺を部分的に熱溶着し図示しないが注入口のみを残して周辺部６４が密閉された袋体６５を作製する。
【００７７】
なお、袋体６５の大きさに応じてこの袋体６５の所要の位置に対向するプラスチック層６３同士を部分的に熱溶着させ、後述するジェル６１の流動防止用の単数又は複数の部分溶着部６６を設け、更に、各部分溶着部６６に穴６７を設けてもよい。
【００７８】
このようにすれば仕上がった保冷具１１を部分溶着部６６の位置で折り畳んだり、使用時における穴６７を通じての通気に便利である。
【００７９】
前記部分溶着部６６の形状、寸法は、袋体６５の大きさに応じて種々に設定されるものであり、直線状部分溶着部、円形状部分溶着部など特に限定するものではない。
【００８０】
前記織布６２とは、綿布または化繊布または綿繊維と化繊の混紡布など意味する。使用する化繊布はナイロンタフタなどである。
前記プラスチック層６３とは、ＰＶＣまたはＰＥまたはＰＵまたはＴＰＵ材料などからなる層であり、通常プラスチック層６３の厚さは０．０５ｍｍから０．４５ｍｍの間に設定する。
【００８１】
（第８ステップ）
前記袋体６５内に第６ステップにて得られた液体を注入し、気泡を除去し、注入口を熱溶着にて封止して前記袋体６５内に密閉する。
【００８２】
（第９ステップ）
図示しない加熱成形機に前記液体を密閉した袋体６５を水平にセットし、７０℃〜８０℃で熱圧しつつ１０〜２０分間成形加工して、袋体６５内の前記液体を重合反応させて、当該袋体６５内に例えば薄片状又は薄片状でマット形態のジェル６１を成形し、保冷具１１とする。
なお、この場合、形成された薄片状又は薄片状でマット形態のジェル６１のサイズの大小を問わない。
【００８３】
前記加熱成形器は、必要に応じて温度を３０℃〜１００℃間で調節可能な２層または多層ヒートパネルを空気圧または油圧により昇降自在に押圧する設備であり、前記袋体６５はヒートパネルの間に挟んで加熱、加圧される。
【００８４】
（第１０ステップ）
検査及び包装：保冷具１１の加工品質を検査し、検査に合格した製品を包装して倉庫に入れ一連の工程を完了する。
【００８５】
なお、上述した第７ステップの製袋工程は、第６ステップの後に実施する場合に限らず、予め別途に袋体６５を製袋しておき、第６ステップの後に第８ステップ乃至第１０ステップを実施するようにすることももちろん可能である。
【００８６】
次に、上述のようにして第９ステップで成形されるジェル６１の失水率試験について説明する。上述したジェル６１の失水状況を試験するために以下の技術条件を採用する。
【００８７】
（技術条件）
試験設備：江蘇昆山慶声科技股フン有限公司−恒温恒湿試験箱
寸法：９０ｃｍ×１４０ｃｍ
包む材料：メリヤス複合ＴＰＵ
試験方法：試料の重量を計量してから試験箱の中央に平らに広げ、それぞれ以下の条件に設定して試験を行う。恒温恒湿箱の環境下（設定条件）で７日放置してから重量を計量する。
常温常湿環境下（温度：２０〜２５℃、湿度：５０〜７０％）で、３週間放置した後に重量を計量する。試験期間は合計１ヶ月とする。
【００８８】
恒温恒湿箱を低温高湿、低温低湿、高温高湿、高温低湿の４つの条件に設定して行った試験結果を下記表１に示す。
【００８９】
【表１】
0003177065.tif 000003
【００９０】
上記試験結果から以下の事項が判明した。
【００９１】
（ａ）１０℃、湿度９０％の条件下では試料が吸水し、７日後のグラム重量が５９７４ｇに達してからバランスを保ち、吸水倍率は０．６６％であり、室内の常温常湿条件下に３週間放置すると吸水してグラム重量は徐々に５９２８ｇまで戻り、原グラム重量（５９３５ｇ）に近づく。
【００９２】
（ｂ）１０℃、湿度２０％の条件下では、試料は失水し、７日後のグラム重量は５６２８ｇに達してからバランスを保ち、失水倍率は４．９１％であり、室内の常温常湿条件下に３週間放置すると吸水してグラム重量が徐々に５９０９ｇまで戻り原グラム重量（５９１９ｇ）に近づく。
【００９３】
（ｃ）７０℃、湿度９０％の条件下では、試料が吸水し、７日後のグラム重量が６１２５ｇに達してからバランスを保ち、吸水倍率は３．３２％であり、室内の常温常湿条件下に３週間放置すると徐々に５９４０ｇまで戻り、原グラム重量（５９２８ｇ）に近づく。
【００９４】
（ｄ）７０℃、湿度２０％の条件下では、試料は失水し、７日後にグラム重量が４８９０ｇに達してからバランスを保ち、失水倍率は１７．３３％であり、室内の常温常湿条件下に３週間放置すると吸水してグラム重量が徐々に５９２１ｇまで戻り、原グラム重量（５９１５ｇ）に近づく。
【００９５】
以上説明したように、前記ジェル６１は、どんな条件を経ても常温常湿条件下に十分な期間（３週間以上）放置すれば失水、吸水のバランスをとり、元の安定したグラム重量を維持することができることが判明した。
【００９６】
上述した保冷具１１におけるジェル６１よれば、常温常湿条件下に十分な期間放置することによって、失水、吸水のバランスをとり、元の安定したグラム重量を維持することができ、これにより、新規な保冷具１１を実現することができる。
【００９７】
また、上述した保冷具１１の製造方法によれば、既述した一連の工程により上述したような優れた効果を奏する保冷具１１を製造効率よく確実に得ることができる。
【００９８】
（第１１ステップ）
前記保冷具１１を用いて、保冷具１１に対する前記一面外装体２１、多穴弾性体３１の所要の寸法取り、添着、周辺逢着材４１の逢着等を行い、図１、図２に示す前記保冷マット１を成形する。
【００９９】
次に、前記保冷媒体１４として用いて好適な更に別の例であるジェル７０、及びこのジェル７０を内装した更に別の例である保冷具１１の製造方法について、図１３、図１４を参照して説明する。
【０１００】
図１３に示す保冷具１１は、２層の薄片７１からなる密閉された袋状の保冷具外装体７２を備え、前記薄片７１が織布またはフロック生地７３にプラスチック層７４を塗布した２種類の材料層を折り畳んでつくられ、プラスチック層７４が保冷具外装体７２の内層に作られている。
【０１０１】
前記織布とは、綿布または化繊布または綿繊維と化繊の混紡布を指す。使用する化繊布はナイロンタフタなどである。プラスチックとはＰＶＣまたはＰＥまたはＰＵまたはＴＰＵ材料などを指し、通常プラスチック層７４の厚さは０．０５ｍｍから０．４５ｍｍの間である。
【０１０２】
前記保冷具外装体７２の中にあるモノマー溶液が重合反応を起こして重合物であるジェル７０を生成し、保冷具外装体７２の中で薄片状のジェル７０を形成する。ジェル７０の厚さは通常０．８ｍｍから５ｍｍの間である。
【０１０３】
大面積の保冷具外装体７２の場合には、２枚の薄片７１の分離面積が大きいためにジェル７０が移動してしまうのを防ぐために、保冷具外装体７２を作るときに保冷具外装体７２の中間位置に、２層の薄片を直接溶着させる１本または数本の部分溶着部７５を形成することもできる。
【０１０４】
このようにすれば例えば保冷具１１を部分溶着部７５の位置で折り畳むような場合でも、使用時の通気にも便利である。
【０１０５】
前記保冷具１１の製造方法は、順に以下のステップを含む。
【０１０６】
Ａ  材料の準備：保冷具１１の外形寸法及び材料要件に基づいて薄片７１を選定、裁断する。薄片７１を裁断前または薄片７１に裁断後、加熱器の出力の大きさと生産効率に基づいて加熱温度１００℃〜２００℃の間、加熱時間５秒〜３０秒の間にて薄片７１を加熱することもできる。
【０１０７】
例えば、加熱温度１５０℃、加熱時間１５秒で薄片７１を前収縮させると、出来上がった保冷具１１は平らかになる。
【０１０８】
Ｂ  製袋：２枚の薄片７１のプラスチック層７４を向き合せて加熱し、プラスチック層７４の表面を溶解させ、向き合わせた薄片７１を、注入口のみを残して周囲が密閉された保冷具外装体７２として形成する
【０１０９】
前記保冷具外装体７２の大きさによりこの保冷具外装体７２の中間位置に２枚の薄片７１を直接溶着させる１本または数本の部分溶着部７５を形成してもよい。
【０１１０】
Ｃ  モノマー溶液流し込み：水と、モノマーと、架橋剤と、開始剤と、更に顔料及び／又は香料を加えてもよく、これらを混合してモノマー溶液とし、注入口から保冷具外装体７２内に流し込む。流し込むときに空気が保冷具外装体７２の内部に入った場合は必ず空気を排出してから注入口を塞ぐ。
【０１１１】
前記モノマーとは、アクリル酸とそのアルカリ金属塩、メタクリル酸とその金属塩、及び（メチル）アクリル酸生成のエステル類の中の１種類または数種類などのポリアクリル酸系高吸水性樹脂の製造に用いる水溶性モノマー、もしくはアクリルアミド、メタアクリルアミドなどのポリアクリルアミド系高吸水性樹脂の製造に用いるモノマー、もしくは以上の２種類のモノマーの組合せを指す。
【０１１２】
前記架橋剤とは、ジビニルまたはトリビニル化合物、不飽和モノカルボン酸または多価カルボン酸と多価アルコールなどからなるポリアルコール、ジアクリルアミド、多価アルコールのジエーテルまたはポリエーテルなどの非共役二重結合をもつ化合物、もしくはアルカリ土金属化合物、亜鉛化物、鉄化物、アルミニウム化物などの多価金属化合物、もしくはアクリル酸グリシジルエステル、エチレングリコール、エチレンジアミン、エチレングリオキサール、フェニル酢酸などの化合物を指す。
【０１１３】
前記開始剤は過酸化物またはアゾ類化合物などの熱分解体系、もしくは過酸化水素、イソプロピルベンゼン過酸化水素、過硫酸アンモニウム、過硫酸カリウムなどの酸化還元体系のグループと、Ｆ２＋、亜硫酸塩、チオ硫酸塩、一（多）価アミン、スルフィン酸類ヒドラジンなどのグループとの２グループ間の任意な組合せを有し、硝酸セリウムアンモニウム、三塩化鉄、五価アルミナ塩などの若干の金属化合物があってもよい。
【０１１４】
前記水、モノマー、架橋剤、開始剤の間の重量比は水６０％〜８０％、モノマー１０％〜３０％、架橋剤０．１％〜６％、開始剤０．１％〜６％である。
【０１１５】
Ｄ  加熱固化：モノマー溶液を流し込んだ保冷具外装体７２を加熱器の上に平らに置いて、通常加熱温度５０℃〜８０℃の間で加熱し、モノマー溶液が保冷具外装体７２内で完全に重合反応し薄片状のポリマー、すなわち、ジェルを生成させると完了する。
【０１１６】
前記加熱器は、必要に応じて温度を３０℃〜１００℃間で調節可能な２層または多層ヒートパネルを空気圧または油圧により昇降自在に押圧する設備である。保冷具外装体７２はヒートパネルの間に挟んで加熱、加圧される。
【０１１７】
Ｅ  検査及び包装：加工品質を検査し、検査に合格した製品を包装して保管する。
【０１１８】
Ｆ  そして、前記保冷具１１を用いて、所要の寸法取り、保冷具１１に対する前記一面外装体２１、多穴弾性体３１の添着、周辺逢着材４１の逢着等を行い、図１、図２に示す前記保冷マット１を成形する。
【０１１９】
上記方法で製造される保冷具１１においては、従来の水の替りにジェル７０を使用して、外表面に保冷具外装体７２の付いた保冷具１１を製造するものであり、ジェル７０は有機物を重合反応によって得られたコロイドであり、そのうち、ジェル７０の成分の約７０％が水であり、水に近い高い熱容量を有する。
【０１２０】
従って、この保冷具１１でも変わりなく非常に良い吸熱性能を有する。しかし、ジェル７０は水のような流動性がなく、安定使用でき、たとえ保冷具外装体７２が尖ったものに突き破られたり、小さく破裂したりしても漏れることがなく、保冷具１１の使用寿命を大幅に延長することが可能になる。
【０１２１】
また、上記製造方法においては、重合反応を採用して保冷具外装体７２内で平らに均し、外圧を加える条件下で行うため、出来上がった保冷具１１は外形が平らで美しいという利点がある。
【０１２２】
次に、図６、図７及び図８を参照して本実施例１に係る保冷マット１の使用態様等について説明する。
【０１２３】
本実施例１に係る保冷マット１は、例えば、図８に示すように、就寝等に使用するベッド（又は敷布団）８０におけるシーツ８１の上面に載せ（シーツの有無は問わない）、就寝者Ｍが前記保冷マット１上に横臥して就寝するような態様で使用するものである。
【０１２４】
なお、図６は、保冷マット１の一面外装体２１を上側とした使用態様を、図７は保冷マット１の多穴弾性体３１を上側とした使用態様を各々示している。
【０１２５】
そして、図８に示すように、就寝者Ｍが保冷マット１上に横臥した状態で使用するとき、図６に示すような保冷マット１の一面外装体２１を上側とした使用態様の場合には、一面外装体２１が既述したように合成樹脂製で薄板状の基材２２及びこの基材２２の外面に添着したアルミ薄板材２３を具備することから、極めて熱伝導率良好であり、保冷媒体１４の冷却作用で急速に冷えるので使用時に保冷媒体１４の温度がダイレクトに就寝者Ｍの身体の背中部分や腰部分に伝わる。
【０１２６】
これにより、保冷媒体１４の冷却効果を効果的に利用でき、就寝者Ｍは夏場等の高温期においても快適な睡眠環境を得ることが可能となる。
【０１２７】
また、前記一面外装体２１は、その外面にアルミ薄板材２３を備えているので、本実施例１に係る保冷マット１は、外装体として綿やナイロン製の布地を使用した保冷マットに比べ使用時の摩耗が少なく耐久性が大幅に向上する。
そして、前記アルミ薄板材２３から保冷マット１内に水分が浸み込まないので、仮に汚れが付いても簡単に拭き取れる利点があり、更には、アルミ薄板材２３は、周知のように医薬品の包装、飲料缶、医療機器にも使用されていることから理解されるように無毒、無臭で衛生的であり、これにより清潔感溢れる保冷マット１を実現し提供することができる。
【０１２８】
更にまた、本実施例１に係る保冷マット１は、前記一面外装体２１が外部に表出する幾何学模様領域２３ａを備えているので、外観体裁が綺麗で見た目が美しく、部分圧着部１３を多数備えているので折り畳みが容易で、保管、運搬に便利であるという利点も有する。
【０１２９】
一方、図７に示す前記多穴弾性体３１を上側とした使用態様の場合には、就寝者Ｍが前記保冷マット１上に横臥して就寝するとき、就寝者Ｍの身体に直接接触する前記多穴弾性体３１における弾性連結糸材群の弾性作用によって適度に撓む。
これにより、保冷マット１は心地良く就寝者Ｍの体にフィットし使用感が極めて良好になるとともに、室温と就寝者Ｍの体温との温度差により保冷媒体１４が就寝者Ｍの背中、腰部、足部等の体温を奪い冷却効果を高める。
【０１３０】
そして、前記保冷媒体１４に蓄熱される熱は、前記多穴弾性体３１の穴３２から外部に放散され、室内空気中に放散される。すなわち、就寝者Ｍの身体からの熱の放熱作用が極めて良好に行なわれ使用感が高められる。なお、図８において、８２は枕である。
【０１３１】
更に、本実施例１に係る保冷マット１は、この保冷マット１自体を表裏反転してのリバーシブル使用も可能であり、これにより、長期間にわたっての使用にも耐える保冷マット１とすることができる。
【０１３２】
（実施例２）
図１５乃至図１８を参照して本考案の実施例２に係る保冷マット１Ａ及びその使用態様について説明する。
【０１３３】
なお、本考案の実施例２に係る保冷マット１Ａにおいて、図１、図２に示す実施例１に係る保冷マット１の場合と同一の要素には同一の符号を付して示す。
【０１３４】
本実施例２に係る保冷マット１Ａは、既述した実施例１の保冷マット１の場合と略同様な構成であるが、全体サイズを例えば幅９０ｃｍ、長さ９０ｃｍとし、前記保冷マット１の略半分のハーフサイズとしたことが特徴である。
【０１３５】
そして、本実施例２に係る保冷マット１Ａにおいては、薄型直方体状に形成したジェルを含む保冷具１１を、図１５において、横方向に２個、縦方向に７個の合計１４個構成とし、実施例１の場合と同様な構成の基に配列した構成としている。
【０１３６】
すなわち、本実施例２に係る保冷マット１Ａにおいては、前記一面外装体２１の複数の保冷具溶着部２１ａは、保冷マット１Ａの中央部において、縦方向に１本、横方向に６個直線状に設けた間隔保持部１３を隔てて並ぶ構成としている。この他の構成は、実施例１に係る保冷マット１の場合と同様である。
【０１３７】
また、図１７は、保冷マット１Ａの一面外装体２１を上側とした使用態様を、図１８は保冷マット１Ａの多穴弾性体３１を上側とした使用態様を各々示している。
【０１３８】
本実施例２に係る保冷マット１Ａの場合も、図１７、図１８に示すように、就寝等に使用するベッド（又は敷布団）８０におけるシーツ８１の上面に載せ（シーツの有無は問わない）、就寝者Ｍが前記保冷マット１Ａ上に横臥して就寝するような態様で使用するものである。
【０１３９】
なお、本実施例２に係る保冷マット１Ａは、敷布団又はマットレス等の上に敷いて使用できる他、これ自体を単体で使用できることは勿論である。
【０１４０】
そして、図１７に示すように、就寝者Ｍが保冷マット１Ａ上に横臥した状態で使用するとき、保冷マット１Ａの一面外装体２１を上側とした使用態様の場合には、一面外装体２１が既述したように合成樹脂製で薄板状の基材２２及びこの基材２２の外面に添着したアルミ薄板材２３を具備することから、極めて熱伝導率良好であり、保冷媒体１４の冷却作用で急速に冷えるので使用時に保冷媒体１４の温度がダイレクトに就寝者Ｍの例えば腰部分に伝わる。
【０１４１】
これにより、保冷媒体１４の冷却効果を効果的に利用でき、就寝者Ｍは夏場等の高温期においても快適な睡眠環境を得ることが可能となる。
【０１４２】
また、前記一面外装体２１は、その外面にアルミ薄板材２３を備えているので、本実施例２に係る保冷マット１Ａの場合も、外装体として綿やナイロン製の布地を使用した保冷マットに比べ使用時の摩耗が少なく耐久性が大幅に向上する。
【０１４３】
また、前記アルミ薄板材２３から保冷マット１Ａ内に水分が浸み込まないので、仮に汚れが付いても簡単に拭き取れる利点があり、更には、アルミ薄板材２３は、周知のように医薬品の包装、飲料缶、医療機器にも使用されていることから理解されるように無毒、無臭で衛生的であり、これにより清潔感溢れる保冷マット１Ａを実現し提供することができる。
【０１４４】
更にまた、本実施例２に係る保冷マット１Ａは、前記一面外装体２１が外部に表出する幾何学模様領域２３ａを備えているので、実施例１の場合と同様、外観体裁が綺麗で見た目が美しく、部分圧着部１３を多数備えているので折り畳みが容易で、保管、運搬に便利であるという利点も有する。
【０１４５】
一方、図１８に示す前記多穴弾性体３１を上側とした使用態様の場合には、就寝者Ｍが前記保冷マット１Ａ上に横臥して就寝するとき、就寝者Ｍの身体の例えば腰部分に直接接触する前記多穴弾性体３１における弾性連結糸材群の弾性作用によって適度に撓む。
これにより、保冷マット１Ａは実施例１の場合と同様、心地良く就寝者Ｍの体にフィットし使用感が極めて良好になるとともに、室温と就寝者Ｍの体温との温度差により保冷媒体１４が就寝者Ｍの腰部等の体温を奪い冷却効果を高める。
【０１４６】
そして、前記保冷媒体１４に蓄熱される熱は、前記多穴弾性体３１の穴３２から外部に放散され、室内空気中に放散される。すなわち、就寝者Ｍの身体からの熱の放熱作用が極めて良好に行なわれ使用感が高められる。
【０１４７】
更に、本実施例２に係る保冷マット１Ａの場合も、この保冷マット１Ａ自体を表裏反転してのリバーシブル使用も可能であり、これにより、長期間にわたっての使用にも耐える保冷マット１Ａとすることができる。
【０１４８】
なお、本実施例２に係る保冷マット１Ａは、上述したようなハーフサイズとする他、例えばその全体形状をハート形状（図示せず）としたり、楕円形状としたりという変形実施も可能であり、これらの場合も上述した場合と同様な作用、効果を発揮させることができる。
【０１４９】
（実施例３）
図１９乃至図２２を参照して本考案の実施例３に係る保冷マット１Ｂ及びその使用態様について説明する。
【０１５０】
なお、本考案の実施例３に係る保冷マット１Ｂにおいて、図１、図２に示す実施例１に係る保冷マット１の場合と同一の要素には同一の符号を付して示す。
【０１５１】
本実施例３に係る保冷マット１Ｂは、既述した保冷マット１の場合と略同様な構成であるが、全体サイズを例えば幅３０ｃｍ、長さ４０ｃｍとし、枕８２用として構成したことが特徴である。
【０１５２】
そして、本実施例３に係る保冷マット１Ｂにおいては、薄型直方体状に形成したジェルを含む保冷媒体１４を内装した保冷具１１を、図１９において横方向に２個前記一面外装体２１の間隔保持部１３により間隔を隔て配列した構成としている。
【０１５３】
また、図２１は、保冷マット１Ｂの一面外装体２１を上側とした使用態様を、図２２は保冷マット１Ｂの多穴弾性体３１を上側とした使用態様を各々示している。
【０１５４】
本実施例３に係る保冷マット１Ｂにおいて、枕８２に保冷マット１Ｂを掛け就寝者Ｍが頭部を載せて就寝する場合に、保冷マット１Ｂの一面外装体２１を上側とした使用態様の場合には、一面外装体２１が既述したように合成樹脂製で薄板状の基材２２及びこの基材２２の外面に添着したアルミ薄板材２３を具備することから、極めて熱伝導率良好であり、保冷媒体１４の冷却作用で急速に冷えるので使用時に保冷媒体１４の温度がダイレクトに就寝者Ｍの頭部に伝わる。
【０１５５】
これにより、保冷媒体１４の冷却効果を効果的に利用でき、就寝者Ｍは夏場等の高温期においても快適な睡眠環境を得ることが可能となる。
【０１５６】
また、前記一面外装体２１は、その外面にアルミ薄板材２３を備えているので、本実施例２に係る保冷マット１Ｂの場合も、外装体として綿やナイロン製の布地を使用した枕用の保冷マットに比べ使用時の摩耗が少なく耐久性が大幅に向上する。
【０１５７】
また、前記アルミ薄板材２３から保冷マット１Ｂ内に水分が浸み込まないので、仮に汚れが付いても簡単に拭き取れる利点があり、更には、アルミ薄板材２３は、周知のように医薬品の包装、飲料缶、医療機器にも使用されていることから理解されるように無毒、無臭で衛生的であり、これにより清潔感溢れる枕８２用の保冷マット１Ｂを実現し提供することができる。
【０１５８】
更にまた、本実施例２に係る保冷マット１Ｂは、前記一面外装体２１が外部に表出する幾何学模様領域２３ａを備えているので、実施例１の場合と同様、外観体裁が綺麗で見た目が美しく、部分圧着部１３を多数備えているので折り畳みが容易で、保管、運搬に便利であるという利点も有する。
【０１５９】
一方、図２２に示す前記多穴弾性体３１を上側とした使用態様の場合には、就寝者Ｍが前記保冷マット１Ｂ上に頭部を載せて就寝するとき、就寝者Ｍの頭部に直接接触する前記多穴弾性体３１における弾性連結糸材群の弾性作用によって適度に撓む。
【０１６０】
これにより、保冷マット１Ｂは実施例１の場合と同様、心地良く就寝者Ｍの頭部にフィットし使用感が極めて良好になるとともに、室温と就寝者Ｍの頭部における温度の温度差により保冷媒体１４が就寝者Ｍの頭部の熱を奪い冷却効果を高める。
【０１６１】
そして、前記保冷媒体１４に蓄熱される熱は、前記多穴弾性体３１の穴３２から外部に放散され、室内空気中に放散される。すなわち、就寝者Ｍの頭部からの熱の放熱作用が極めて良好に行なわれ使用感が高められる。
【０１６２】
更に、本実施例３に係る保冷マット１Ｂの場合も、この保冷マット１Ａ自体を表裏反転してのリバーシブル使用も可能であり、これにより、長期間にわたっての使用にも耐える保冷マット１Ｂとすることができる。
【０１６３】
なお、上述した保冷マット１、保冷マット１Ａ及び保冷マット１Ｂは、各々そのままでひんやりするものであるが、冷蔵庫で冷やした後使用したりすることも可能である。
【産業上の利用可能性】
【０１６４】
本考案の保冷マットは、上述したように主に就寝時に用いる他、夏場等における昼寝時やスポーツ後の休息のための仮眠時、長時間運転後の仮眠時等に用いる保冷マットとして家庭、宿泊施設、スポーツ施設、各種休憩施設等において広範に利用可能である。
【符号の説明】
【０１６５】
１    保冷マット
１Ａ  保冷マット
１Ｂ  保冷マット
１１    保冷具
１２    保冷具外装体
１２Ａ  保冷具外装体
１２Ｂ  保冷具外装体
１３    間隔保持部
１４    保冷媒体
２１    一面外装体
２１ａ  保冷具溶着部
２２    基材
２３    アルミ薄板材
２３ａ  幾何学模様領域
２３ｃ  外周部
２４    透明ポリエステル材
３１    多穴弾性体
３２    穴
３３    網目状表地
３３ａ  網材
３４    網目状裏地
３４ａ  網材
３５    弾性連結糸材
４１    周辺逢着材
４１ａ  縫目
５１    水ジェル
６１    ジェル
６２    織布
６３    プラスチック層
６４    周辺部
６５    袋体
６６    部分溶着部
６７    穴
７０    ジェル
７１    薄片
７２    保冷具外装体
７３    フロック生地
７４    プラスチック層
７５    部分溶着部
８０    ベッド（又は敷布団）
８１    シーツ
８２    枕
Ｍ    就寝者
【図１】
0003177065.tif 000004
【図２】
0003177065.tif 000005
【図３】
0003177065.tif 000006
【図４】
0003177065.tif 000007
【図５】
0003177065.tif 000008
【図６】
0003177065.tif 000009
【図７】
0003177065.tif 000010
【図８】
0003177065.tif 000011
【図９】
0003177065.tif 000012
【図１０】
0003177065.tif 000013
【図１１】
0003177065.tif 000014
【図１２】
0003177065.tif 000015
【図１３】
0003177065.tif 000016
【図１４】
0003177065.tif 000017
【図１５】
0003177065.tif 000018
【図１６】
0003177065.tif 000019
【図１７】
0003177065.tif 000020
【図１８】
0003177065.tif 000021
【図１９】
0003177065.tif 000022
【図２０】
0003177065.tif 000023
【図２１】
0003177065.tif 000024
【図２２】
0003177065.tif 000025